(57)【要約】【課題】枠体に装着するフィルタ材を事前に波板状に成形する必要のないフィルタ装置を提供する。【解決手段】波板状のフィルタ材３とその材を着脱可能に保持する枠体を備え、該枠体はフィルタ材に対して気体の通流方向下流側に配設されて中央部が波板状のフィルタ材における上流側の頂部３ａの背面を支持する複数の第１支持部材１１を具備しその各両端部を固定した第１枠部材１と、気体の通流方向上流側に配設されて中央部が波板状のフィルタ材における下流側の頂部３ｂの背面を支持する複数の第２支持部材２１を具備しその各両端部を固定し、かつ第１枠部材に対して通流方向に着脱可能に形成された第２枠部材２とからなり、フィルタ材が第１枠部材と第２枠部材との合体時に、第１支持部材と第２支持部材とが互いに相手側の離間部分に入り込むことで波板状に曲げられるようにした。【選択図】図４
2017023970.tif 000002
【特許請求の範囲】
【請求項１】
波板状に曲げられたフィルタ材と、このフィルタ材の周囲部を囲むように形成されて該フィルタ材を着脱可能に保持する枠体とを備えたフィルタ装置であって、前記枠体は、前記フィルタ材に対して、気体の通流方向下流側に配設されて中央部が波板状の前記フィルタ材における上流側の頂部の背面部を支持するように互いに離間して列設された複数の第１支持部材を具備し、その第１支持部材の各両端部を固定した第１枠部材と、前記フィルタ材に対して、前記気体の通流方向上流側に配設されて中央部が波板状の前記フィルタ材における下流側の頂部の背面部を支持するように互いに離間して列設された複数の第２支持部材を具備し、その第２支持部材の各両端部を固定し、かつ前記第１枠部材に対して着脱可能に形成された第２枠部材とからなり、前記フィルタ材は、前記第１枠部材と前記第２枠部材との合体時に、前記第１支持部材と前記第２支持部材が、互いに相手側の離間された部分に入り込むことにより波板状に曲げられたものであることを特徴とするフィルタ装置。
【請求項２】
前記第１枠部材と前記第２枠部材は何れも矩形状であって、その何れか一方は外枠でなり、他方は少なくとも一部が前記外枠の内周面に挿入可能に形成された内枠でなり、前記第１支持部材と前記第２支持部材はその矩形状の外枠または内枠における対向された所定の２辺部を接続するように該２辺部に固定された棒状体または線条体からなり、かつ前記外枠または前記内枠における前記第１支持部材または前記第２支持部材に直交する方向の端部に、前記フィルタ材を挿通させるためのフィルタ挿通部が設けられていることを特徴とする請求項１記載のフィルタ装置。
【請求項３】
前記第１支持部材は、その列設方向から見てコ字形状に折曲して形成され、前記第２枠部材との合体時に、そのコ字形状の第１支持部材における互いに対向した２辺部と、前記第１枠部材の内周面との間に形成された間隙部に前記第２枠部材が進入するように形成されていることを特徴とする請求項２記載のフィルタ装置。
【請求項４】
前記第１枠部材は矩形状の外枠を形成し、前記第１支持部材はその外枠における対向された所定の２辺部を直線状に接続してなり、その第１枠部材の内周面に挿入されるように形成された前記第２枠部材における前記第１枠部材の前記所定の２辺部に対応した二辺は、前記第１枠部材との合体時に前記第１支持部材との干渉を回避するための凹部が設けられた櫛歯状に形成され、その櫛歯状における突出部に前記第２支持部材が固定されていることを特徴とする請求項２記載のフィルタ装置。
【請求項５】
前記第１枠部材における対向された前記所定の２辺部に直交する２辺部にスリット状の前記フィルタ挿通部が設けられていることを特徴とする請求項４記載のフィルタ装置。
【請求項６】
前記第１枠部材における対向された前記所定の２辺部における前記第１支持部材との固定部の外周面、または前記第２枠部材における前記二辺と前記第２支持部材との固定部の外周面には、凹所とその凹所の中心部に貫通された穴が形成されてなり、前記第１支持部材または前記第２支持部材は前記穴の外側から挿通された前記凹所の深さよりも低い高さを有する固定具によって固定されていることを特徴とする請求項４または請求項５記載のフィルタ装置。
【発明の詳細な説明】
【技術分野】
【０００１】
本発明は、空調設備や集塵機等のエアフィルタなどとして用いられるフィルタ装置に関するものである。
【背景技術】
【０００２】
空調設備や集塵機等のエアフィルタは、空気の通路を囲むように設置される枠部材の内周にろ材（フィルタ材）を取り付けたものがよく使用されている。このようなエアフィルタでは、ろ材の交換や再生処理を行う際の取り外し及び取り付けを容易にするために、ろ材を枠部材に着脱可能に嵌めこんでいることが多い。一方、エアフィルタには、集塵能力を長時間維持でき、少ない開口面積での集塵能力を向上させるために、ろ材を波板状に形成したものがある。しかし、この長寿命・高効率のエアフィルタでは、ろ材の使用期間が長くなるので、使用中の風圧や振動等によってろ材が枠部材から外れ、外気がろ過されることなく出口側に漏れることがある。これに対して、特許文献１では、ろ材をその形状に沿う波板状に形成した保持部材（補強部材）で保持する構造とすることで、枠部材からのろ材の外れを防止し、外気の漏れをなくすようにしている。また、特許文献２には、空気の通路を囲むように設置される枠部材の内周に、波板状のろ材を着脱可能に嵌め込み、波板状のろ材を後面側から保持するように後面保持部材を枠部材に固定することにより、ろ材が使用中に枠部材から外れないようにすると共に、ろ材を交換する時には、ろ材だけを簡単に取り外せるようにして、使用後のろ材と後面保持部材との分離、及び新品または再生品のろ材と後面保持部材との固定を不要としている。
【先行技術文献】
【特許文献】
【０００３】
【特許文献１】特開２００２−６６２４２号公報
【特許文献２】特開２００５−５２７４０号公報
【発明の概要】
【発明が解決しようとする課題】
【０００４】
前記特許文献１のようなエアフィルタでは、ろ材と保持部材を長手方向両端で圧着等により固定し、その外周端部を枠部材の内面に設けた凹溝に嵌めこんでいるため、使用後のろ材を交換する場合には、枠部材から一体に取り外したろ材と保持部材とを分離し、再生または新品のろ材を再び保持部材に固定した後、枠部材に嵌めこむ必要があり、非常に手間がかかるという課題があった。
前記特許文献２記載のようなエアフィルタでは、ろ材を初期の状態にて波板状とする必要があるという課題があった。
【０００５】
本発明は前記のような課題を解消するためになされたものであり、枠体に装着するフィルタ材を事前に波板状に成形する必要がなく、製造やメンテナンスが容易なフィルタ装置を提供することを目的としている。
【課題を解決するための手段】
【０００６】
本発明に係るフィルタ装置は、波板状に曲げられたフィルタ材と、このフィルタ材の周囲部を囲むように形成されて該フィルタ材を着脱可能に保持する枠体とを備えたフィルタ装置であって、前記枠体は、前記フィルタ材に対して、気体の通流方向下流側に配設されて中央部が波板状の前記フィルタ材における上流側の頂部の背面部を支持するように互いに離間して列設された複数の第１支持部材を具備し、その第１支持部材の各両端部を固定した第１枠部材と、前記フィルタ材に対して、前記気体の通流方向上流側に配設されて中央部が波板状の前記フィルタ材における下流側の頂部の背面部を支持するように互いに離間して列設された複数の第２支持部材を具備し、その第２支持部材の各両端部を固定し、かつ前記第１枠部材に対して着脱可能に形成された第２枠部材とからなり、前記フィルタ材は、前記第１枠部材と前記第２枠部材との合体時に、前記第１支持部材と前記第２支持部材とが、互いに相手側の離間された部分に入り込むことにより波板状に曲げられたものであることを特徴とする。
【発明の効果】
【０００７】
本発明によれば、第１枠部材と第２枠部材との合体時に、第１支持部材と第２支持部材が、互いに相手側の離間された部分に入り込むことにより、フィルタ材が容易に波板状に成形されるようにしたので、組立の前に予め波形状のフィルタ材を用意する必要がなく、フィルタ装置の製作や交換のメンテナンスを容易にできる。
【図面の簡単な説明】
【０００８】
【図１】本発明の実施の形態１によるフィルタ装置の組立前の部品構成を示す斜視図である。
【図２】図１に示すフィルタ装置の組立開始時の位置関係を概念的に示す横断面図である。
【図３】図１に示すフィルタ装置の組立中の状態を概念的に示す横断面図である。
【図４】図１に示すフィルタ装置の組立完了後の状態を概念的に示す横断面図である。
【図５】本発明の実施の形態２によるフィルタ装置の組立前の部品構成を示す斜視図である。
【図６】図５に示すフィルタ装置の組立完了後の状態を概念的に示す横断面図である。
【図７】本発明の実施の形態３によるフィルタ装置の組立前の部品構成を示す斜視図である。
【図８】図７に示すフィルタ装置の組立開始時の位置関係を概念的に示す横断面図である。
【図９】図７に示すフィルタ装置の組立中の状態を概念的に示す横断面図である。
【図１０】図７に示すフィルタ装置の組立完了後の状態を概念的に示す横断面図である。
【図１１】本発明の実施の形態４によるフィルタ装置の組立前の部品構成を示す斜視図である。
【図１２】図１１のＡ部を概略的に示す断面図である。
【発明を実施するための形態】
【０００９】
実施の形態１．
図１は本発明の実施の形態１によるフィルタ装置の組立前の部品構成を示す斜視図、図２は図１に示すフィルタ装置の組立開始時の位置関係を概念的に示す横断面図、図３は図１に示すフィルタ装置の組立中の状態を概念的に示す横断面図、図４は図１に示すフィルタ装置の組立完了後の状態を概念的に示す横断面図である。なお、各図を通じて同一または相当部材には同一符号を付して説明する。図において、Ｚ方向の空気の通路を囲むように設置される枠体は、矩形状の外枠１０と、その外枠１０に対して気体の通流方向に着脱可能に形成された矩形状の内枠２０から構成されている。外枠１０は、空気の通流方向に直交する図１におけるＸ方向に配設される折曲板１ａの２つと、Ｙ方向に配設される折曲板１ｂの２つの４部材から構成され、各折曲板の端部相互を重ねわせた面または突き合わせた線を溶接等により接着され一体となっている。
【００１０】
なお、空気などの気体の通流方向やフィルタ装置の上下や前後方向などは限定されるものではないが、ここでは説明の便宜上、図１におけるＺ方向の手前側を上流側、奥側を下流側とする。外枠１０の内側部分には、外観が丸棒状の線材を側面視コ字形状に折曲形成した第１支持部材としての前側支持棒１１の、コ字形状における対向された２辺を結ぶ中央部分が、組立完了時波板状のフィルタ材３における上流側の頂部３ａ（図４に図示）の背面部を支持するように互いに離間して複数列設され、その前側支持棒１１における水平方向に形成された水平部１１ａの奥側の端部がＸ方向の折曲板１ａの折曲辺１ａ１に対して溶接等により接着されている。前述の外枠１０と複数の前側支持棒１１によって第１枠部材１が構成されている。
【００１１】
また、内枠２０は、空気の通流方向に直交する図１におけるＸ方向に配設される折曲板２ａの２つと、空気の通流方向に直交する図１におけるＹ方向に配設される折曲板２ｂの２つの４部材から構成され、各折曲板を重ね合わせた面または突き合わせた線を溶接等により接着され一体となっている。そして、その内枠２０の内側部分には、外観が丸棒状で直線状の線材ないしはパイプ材を用いた第２支持部材としての後側支持棒２１が、組立完了時波板状のフィルタ材３における下流側の頂部３ｂ（図４に図示）の背面部を支持するように互いに離間して複数列設され、その後側支持棒２１の上下の各端部がＸ方向の折曲板２ａの内周面に対して溶接等により接着されている。前述の内枠２０と複数の後側支持棒２１によって第２枠部材２が構成されている。
【００１２】
なお、前側支持棒１１及び後側支持棒２１の離間間隔、設置個数、及びＺ方向の寸法などは、フィルタ材３に対して要求される波形の形状や寸法、面積などの設計上の諸要素に基づいて予め所望の値に設定される。また、図４に示すように、上流側の頂部３ａは通流方向の上流側から見たときの手前側に形成された突出端部であって、前側支持棒１１は何れもその上流側の頂部３ａの背面部を支持している。そして、下流側の頂部３ｂは通流方向の下流側から見たときの手前側に形成された突出端部であって、後側支持棒２１は何れもその下流側の頂部３ｂの背面部を支持している。
【００１３】
内枠２０の図における縦横の外側寸法は外枠１０の縦横の内側寸法よりも小さく形成されている。また、コ字形状に形成された前側支持棒１１の水平部１１ａにおけるＹ方向の外側寸法は内枠２０の内側寸法よりも小さく形成されており、外枠１０に対して内枠２０を合体させるときに、内枠２０の折曲板２ａが外枠１０の折曲板１ａのＸＺ平面１ａ２と外枠１０に設けられた前側支持棒１１の水平部１１ａとの間に干渉することなく進入できるように構成されている。また、図２〜図４に示すように、第１枠部材１と第２枠部材２の合体時に、前側支持棒１１と後側支持棒２１とは、相手側の離間された部分の中央部に互いに入り込むようにＸ方向の位置をずらして設けられている。
【００１４】
そして、内枠２０の上下に配設されたＸ方向の折曲板２ａの前方側の折曲辺２ａ１における図の左右両端部には、組立前にフィルタ材３を挿通させ、組立後のフィルタ材３の端部が配置される、フィルタ材３の厚みよりも大きいフィルタ挿通部としての切欠き部４が形成されている。また、この実施の形態１では外枠１０のＸ方向の折曲板１ａやＹ方向の折曲板１ｂ、内枠２０のＸ方向の折曲板２ａやＹ方向の折曲板２ｂは、ステンレス鋼板を折曲加工したものであり、フィルタ材３は不織布または繊維状活性炭などのろ材を所定幅のシート状に加工したものである。また、コ字形状の前側支持棒１１や直線状の後側支持棒２１はステンレス棒またはステンレス中空パイプで形成されている。
【００１５】
なお、用いる材料は特に限定されるものではなく、例えば折曲板１ａ、１ｂ及び折曲板２ａ、２ｂの素材は、亜鉛メッキ鋼板やアルミニウム板、あるいはプラスチックや複合材料による成型体等でもよい。また、前側支持棒１１や後側支持棒２１は、例えばアルミニウム棒やアルミニウム中空パイプ等でもよい。また、前側支持棒１１や後側支持棒２１は中実の棒材や中空のパイプ材などに限定されるものではなく、例えばピアノ線等のワイヤーや、メッシュ状のパイプの棒状体などでもよく、更に、フィルタ材３を波板状に変形させる際の摩擦による抵抗を小さくするために回転可能に軸支されていても良い。また、外枠１０、内枠２０はそれぞれ４部品構成の折曲板から構成するようにしたが、それに限定されるものではなく、外枠１０、内枠２０の形状が構成されれば、１部品構成や２部品構成でもよい。
【００１６】
次に、組立時に平面状のフィルタ材が組立によって波板状に成形される過程について図２から図４を参照して説明する。まず、組立を開始する際には、図２に示すように、フィルタ材３は内枠２０の切欠き部４に対して−Ｚ方向から挿入されており、後側支持棒２１の＋Ｚ方向側に位置し、また外枠１０のコ字形状の前側支持棒１１の前面側との間に挟まれた位置関係で配置されている。その状態から、図３に示すように外枠１０に対して内枠２０を通流方向に挿入していくことによって、フィルタ材３は、通風方向の前後にＸ方向の位置を互い違いにずらして設置された格子状の前側支持棒１１と、後側支持棒２１に押されるようにして折れ曲がっていく。その際、外枠１０と内枠２０の中側にあるフィルタ材３は平面状のときの上から見て直線状よりもフィルタ長さが長くなる必要があるが、その長さ分の供給は両側の２か所の切欠き部４からなされる。
【００１７】
続いて組立完了のため、外枠１０に内枠２０をさらに＋Ｚ方向に挿入していくことによって、フィルタ材３は最終的に図４に示すように、コ字形状の前側支持棒１１と後側支持棒２１に倣って完全に折れ曲がり、図における断面視ジグザグ状ないしは信号波形における三角波状に折曲されて波板状となる。このとき、互いに離間して列設された複数の第１支持部材としての前側支持棒１１はフィルタ材３に対して、気体の通流方向下流側に配設されて中央部が波板状のフィルタ材３における上流側の頂部３ａの背面部を支持するように位置し、互いに離間して列設された複数の第２支持部材としての後側支持棒２１は気体の通流方向上流側に配設されて中央部が波板状のフィルタ材３における下流側の頂部３ｂの背面部を支持するように位置する。
【００１８】
そして、最後に内枠２０の切欠き部４から飛び出しているフィルタ材３の余長部分を切断し、外枠１０に対して内枠２０を図示していない適宜の固定手段によって固定することで組立が完成し、フィルタ装置１００が得られる。なお、フィルタ材３の図１におけるＹ方向の端部と内枠２０の折曲板２ａや外枠１０の折曲板１ａとの間に生じる隙間は、例えば波形状のフィルタ材３の凸部側の形状に対応した波形に形成したゴム弾性を有する適宜のフィルタ端部係止部材をフィルタ材３の上流側または下流側における、組立動作に干渉しない位置に設置して塞ぐことができる。また、フィルタ材３の図４におけるＸ方向の左端部または右端部と内枠２０の折曲板２ｂとの間に生じる隙間などについても、例えば適宜の固定手段などによって塞ぐことができる。
【００１９】
なお、前述の例では、フィルタ装置１００における、第１枠部材１の外枠１０に設けた前側支持棒１１（第１支持部材）が上流側に位置し、第２枠部材２の内枠２０に設けた後側支持棒２１（第２支持部材）が下流側に位置するように用いたが、通流方向を逆に設定して用いることも可能である。因みに、図示された符号をそのまま用いる場合、前後が逆になることにより、外枠１０の前側支持棒１１（第１支持部材）を後側支持棒１１（第２支持部材）とし、後側支持棒２１（第２支持部材）を前側支持棒２１（第１支持部材）に読み替えると共に、第１枠部材１を第２枠部材１、第２枠部材２を第１枠部材２と読み替える必要がある。なお、フィルタ装置１００に対する通流方向を逆に取付けできないようにするために、例えば枠体の角部を１ヶ所だけ斜めにカットし、または円弧状に形成して、図示していない通風路の取付け部に対するフィルタ装置１００の取付け方向を限定するなどの公知の手法を適用することも可能である。
【００２０】
上記のように、実施の形態１は、第１枠部材１と第２枠部材２との合体時に、第１支持部材１１と第２支持部材２１が、互いに相手側の離間された部分に入り込むことにより、両者の間に配設した平面状のフィルタ材３が、波板状に曲げられるようにしたものであり、そのような構成とすることによって、平面状のフィルタ材３を別途波板状に加工したり、予め用意する必要がなく、組立動作によって平面状のフィルタ材３が簡単に波板状に成形される。また、使用後のフィルタ材３は第１枠部材１から第２枠部材２を取り外すことにより、フィルタ材３のみを容易に取り外すことが可能であり、新品または再生品の平面状のフィルタ材を同様に組立てることによって、フィルタ材を波板状に成形することができる。このため、予め別途の工程で波板状のフィルタ材を用意する必要がない。また、フィルタ材３は例えばロール状に巻き取った形態で保管することができるので小スペースに保管でき、別途用意した波板状のフィルタ材を保管する必要がなく部品管理も容易となる。
【００２１】
実施の形態２．
図５は本発明の実施の形態２によるフィルタ装置の組立前の部品構成を示す斜視図、図６は図５に示すフィルタ装置の組立完了後の状態を概念的に示す横断面図である。なお、本実施の形態２は、実施の形態１における第１支持部材としての前側支持棒１１を直線状の前側支持棒１１Ａに変更すると共に、内枠２０のＸ方向の折曲板２ａを幅広の櫛歯状の折曲板２ａＡに変更したものであり、以下、その変更点を中心に説明する。図において、直線状の前側支持棒１１Ａは、外枠１０を構成しているＸ方向に延在する上部及び下部の折曲板１ａにおける図の前方側に溶接等によって固定されている。なお、前側支持棒１１ＡのＸ方向の間隔や設置個数などは実施の形態１と同様である。そして、外枠１０と前側支持棒１１Ａによって第１枠部材１Ａが構成されている。
【００２２】
また、実施の形態２における矩形枠状の内枠２０Ａは、Ｘ方向の折曲板２ａＡが図５に示すように幅広の櫛歯状に形成されており、上述の前側支持棒１１Ａを有する第１枠部材１Ａとの合体時に、前側指示棒１１を逃がすための、Ｘ方向の寸法が前側指示棒１１の外径よりも大きい切欠きからなる凹部２ａ２と、後側指示棒２１の直径よりも大きな幅に形成されその後側指示棒２１の端部を固定するための突出部２ａ３とがＸ方向に交互に形成されている。なお、後側指示棒２１のＸ方向の間隔や設置個数、あるいは組立時に内枠２０Ａを外枠１０に合体させるときの前側支持棒１１Ａと後側指示棒２１の位置関係など、その他の構成は実施の形態１と同様であり、因みに凹部２ａ２は前側支持棒１１Ａの数と同数（図示の例では８個）、突出部２ａ３は後側指示棒２１の数と同数（図示の例では９個）設けられている。そして、内枠２０Ａと後側指示棒２１によって第２枠部材２Ａが構成されている。
【００２３】
上記のように構成された実施の形態２においては、図５に示すようにフィルタ材３を挟んでその両側部に第１枠部材１Ａと第２枠部材２Ａを対向させ、フィルタ材３のＸ方向の左右の端部を第２枠部材２Ａの対応する切欠き部４から前方側に引き出した後、実施の形態１と同様に第２枠部材２Ａを第１枠部材１Ａの内周面に挿入するように合体させる組立動作によって、平面状のフィルタ材３が徐々に波板状に成形される。外枠１０に内枠２０Ａを組み付ける際、内枠２０Ａの突出部２ａ３が外枠１０の内側に固定された直線状の前側指示棒１１Ａ相互の間隔部に進入し、前側指示棒１１Ａは内枠２０Ａの凹部２ａ２に進入するので、相互に干渉することが無い。組立完了のため、外枠１０に内枠２０Ａを最後まで挿入していくことによって、フィルタ材３は、直線状の前側支持棒１１Ａと後側支持棒２１に倣って完全に折れ曲がった波形板状となる。また、最後に内枠２０Ａの切欠き部４から飛び出しているフィルタ材３の余分長を切断し、フィルタ装置１００Ａを得る。
【００２４】
このように、実施の形態２によれば、第１枠部材１Ａの内側に第２枠部材２Ａを嵌め込むように合体させるという簡単な組立動作によって平面状のフィルタ材３が波板状に成形される。そのため、組立時に予め波板状のフィルタ材を用意する必要がない。また、使用後のフィルタ材３は外枠１０から内枠２０Ａを取り外すことにより、フィルタ材３のみを取り外すことが可能であり、新品または再生品の平面状のフィルタ材を同様に組立てることによって、波板状にフィルタ材が成形される。さらに、前側支持棒１１Ａとして直線状の棒状体を使用したのでコ字状に折曲加工する必要がなく、さらに、櫛歯状の折曲板２ａＡは例えばプレスなどを用いた板金加工によって加工時間を増やすことなく容易に加工できるので加工作業を簡素化できる。
【００２５】
実施の形態３．
図７は本発明の実施の形態３によるフィルタ装置の組立前の部品構成を示す斜視図、図８は図７に示すフィルタ装置の組立開始時の位置関係を概念的に示す横断面図、図９は図７に示すフィルタ装置の組立中の状態を概念的に示す横断面図、図１０は図７に示すフィルタ装置の組立完了後の状態を概念的に示す横断面図である。図７において、矩形枠状の外枠１０Ａは、実施の形態２と同様のＸ方向の折曲板１ａの２つと、Ｙ方向の折曲板１ｂの２つから構成され、それぞれ板の重ねわせた面もしくはそれぞれの板を付き合わせた線に溶接等により接着され一体となっている。そして、Ｙ方向の折曲板１ｂのＹＺ平面には、フィルタ材３のＹ方向の長さよりも大きく、フィルタ材３の厚みよりも大きいフィルタ挿通部としてのスリット４Ａが設けられている。
【００２６】
直線状の前側支持棒１１Ａは、前述のＸ方向に延在する上部及び下部の折曲板１ａにおける前方側に溶接等によって固定されている。なお、前側支持棒１１ＡのＸ方向の間隔や設置個数などは実施の形態１、２と同様である。そして、外枠１０Ａと前側支持棒１１Ａによって第１枠部材１Ｂが構成されている。
一方、図７におけるＺ方向の空気の通路を囲むように設置される枠部材としての矩形枠状で、外側寸法が外枠１０Ａの内側寸法よりも小さい内枠２０Ａと、内枠２０Ａの折曲板２ａＡに設けられる複数の後側指示棒２１の構成は実施の形態２と同様であるので、説明を省略する。なお、内枠２０Ａと後側指示棒２１によって第２枠部材２Ａが構成される点も実施の形態２と同様である。なお、図７〜図１０の内枠２０Ａにおいて、図５に示す切欠き部４と同様の切欠き部が図示されているが、ここでは必要のないものであるので、切欠き部を設けていないものでも差し支えない。
【００２７】
次に、組立時にフィルタ材が組立によって波板状に成形される過程を図８から図１０を参照して説明する。まず、フィルタ材３は図８に示すように外枠１０Ａのスリット４Ａに対して外枠１０Ａの外側から内側に挿入されており、直線状の前側支持棒１１Ａの−Ｚ方向側に位置し、また、内枠２０Ａの後側指示棒２１と挟まれた位置となるように配置される。組立のため、外枠１０Ａに内枠２０Ａを挿入していくことによって、図９に示すようにフィルタ材３は、互いに相手側の間隔部に入り込むようにずらして配設された格子状の前側指示棒１１Ａと後側支持棒２１によって押されるように折れ曲がっていく。
【００２８】
その際、外枠１０Ａと内枠２０Ａの中側に位置したフィルタ材３のＸ方向の寸法は直線状のときよりも長くなる必要があるが、その長さ分の供給はスリット４Ａからなされる。組立完了のため、外枠１０Ａを有する第１枠部材１Ｂに内枠２０Ａを有する第２枠部材２Ａを最後まで挿入していくことによって、図１０に示すようにフィルタ材３は、前側支持棒１１Ａと後側支持棒２１に倣って完全に折れ曲がった波板状となる。また、最後に外枠１０Ａのスリット４Ａから飛び出しているフィルタ材３の余分長を切断し、第１枠部材１Ｂと第２枠部材２Ａを相互に固定することでフィルタ装置１００Ｂが得られる。
【００２９】
上記のように、実施の形態３によれば、組立時にあらかじめ波板状のフィルタ材を用意することなく、シート状のフィルタ材３が枠体組立時の外枠１０Ａと内枠２０Ａを合体させるという簡単な動作によって波板状に成形することができる。また、使用後のフィルタ材３は外枠１０Ａから内枠２０Ａを取り外すことにより、フィルタ材３のみを取り外すことが可能であり、新品または再生品の直線状のフィルタを同様に組立てることによって、波板状にフィルタ材を成形できる。このため、波板状のフィルタ材を別工程で加工して用意する必要がない。また、空気の通路側に余分な切欠き部４を設ける必要がなく、枠体の周囲部に凹凸のない四角形の空気の通風路面を確保することができる。
【００３０】
実施の形態４．
図１１は本発明の実施の形態４によるフィルタ装置の組立前の部品構成を示す斜視図、図１２は図１１のＡ部の断面図である。なお、この実施の形態４は図５に示す上記実施の形態２とほぼ同形状の第１枠部材１Ａ及び第２枠部材２Ａを構成する際に、前側支持棒１１Ａ及び後側指示棒２１の固定手法を溶接からネジ止めに変更すると共に、ネジ頭部が外枠１０または内枠２０Ａの外周面から突出しないようにしたものである。具体的には、図１１、図１２に示すように、外枠１０のＸ方向の折曲板１ａ、及び内枠２０ＡのＸ方向の折曲板２ａＡの突出部２ａ３における各所定位置には、それぞれ固定ネジ５の頭部の高さよりも深く、その頭部の外形よりも内径が大きい凹み加工によって形成された凹所１ａ３または凹所２ａ４が形成され、その底部中心部には固定ネジ５の軸部を挿通させる穴が設けられている。そして、直線状の前側指示棒１１Ａと後側指示棒２１の両端には、対応する凹所１ａ３または凹所２ａ４の穴に挿通された固定ネジ５に螺合させるためのネジ穴が設けられている。その他の構成は実施の形態２と同様であるので説明を省略する。
【００３１】
上記のように構成された実施の形態４によれば、前側指示棒１１Ａと後側指示棒２１を外枠１０や内枠２０Ａに固定ネジ５によって取り付けるようにしたので、専門的な溶接作業を不要にできる。また、固定ネジ５の頭部は折曲板１ａ、折曲板２ａＡの外周面よりも内側に隠れるように沈設されている。そのため、固定ネジ５により外枠１０のＸ方向の折曲板１ａに前側指示棒１１Ａを固定し、内枠２０ＡのＸ方向の折曲板２ａＡに後側支持棒２１を固定ネジ５により固定しても、外枠１０や内枠２０Ａの外形よりも突出することが無くなる。なお、Ｘ方向の折曲板１ａと前側支持棒１１Ａとの固定、並びにＸ方向の折曲板２ａＡと後側支持棒２１との固定を固定ネジ５としたが、固定ネジ５に限定されるものではなく、Ｘ方向の折曲板１ａと前側支持棒１１Ａとの固定、並びにＸ方向の折曲板２ａＡと後側支持棒２１との固定ができれば、例えばリベット等、他の適宜の固定手段であってもよい。
【００３２】
なお、本発明は、その発明の範囲内において、各実施の形態の一部または全部を自由に組み合わせたり、各実施の形態を適宜、変形、省略することが可能である。
【符号の説明】
【００３３】
１、１Ａ、１Ｂ  第１枠部材、１ａ  折曲板、１ａ１  折曲辺、１ａ２  ＸＺ平面、
１ａ３  凹所、１ｂ  折曲板、１０、１０Ａ  外枠、
１１、１１Ａ  前側支持棒（第１支持部材）、１１ａ  水平部、２、２Ａ  第２枠部材、
２ａ、２ａＡ  折曲板、２ａ１  折曲辺、２ａ２  凹部、２ａ３  突出部、２ａ４  凹所、
２ｂ  折曲板、２０、２０Ａ  内枠、２１  後側支持棒（第２支持部材）、
３  フィルタ材、３ａ  上流側の頂部、３ｂ  下流側の頂部、
４  切欠き部（フィルタ挿通部）、４Ａ  スリット（フィルタ挿通部）、５  固定ネジ。
【図１】
2017023970.tif 000003
【図２】
2017023970.tif 000004
【図３】
2017023970.tif 000005
【図４】
2017023970.tif 000006
【図５】
2017023970.tif 000007
【図６】
2017023970.tif 000008
【図７】
2017023970.tif 000009
【図８】
2017023970.tif 000010
【図９】
2017023970.tif 000011
【図１０】
2017023970.tif 000012
【図１１】
2017023970.tif 000013
【図１２】
2017023970.tif 000014